(57)【要約】      （修正有）【課題】低コストで、小さな操作力でトレーを安定的にスライドさせることができる引出し付きキャビネット、及び、そのようなトレーを既存の引出しに対し取り付けることができる引出し用トレーユニットを提供する。【解決手段】引出し３０の上方に取り付けられるトレーは、トレー本体４１と、トレー本体４１に固定される左右一対のロッド挟持部材４２を備えている。トレー本体４１の下面のうち前方寄りの部分に設けられたロッド挟持部材４２が、ロッド３５を上下から挟持しているとともに、後板の上端部に取り付けられた支持部材によって下面が下方から支持されている。【選択図】図６
2014155608.tif 000002
【特許請求の範囲】
【請求項１】
内部に収納空間を有するキャビネット本体と、
前記キャビネット本体に対し前後方向にスライドすることで前記収納空間に進退可能な引出しと、
前記引出しの上方に配置されたトレーと、を備え、
前記引出しは、
前板と、前記前板の後方に設けられその上端部が前記前板の上端部よりも下方に位置する後板と、前記前板の下部と前記後板の下部との間に設けられた底板と、前記底板の左右両側部で前記前板と前記後板との間に設けられた一対の側板と、前記一対の側板の上方で前記前板と前記後板の間に設けられ前後方向に略水平に伸びる一対のロッドと、を有しており、
前記トレーは、
その下面のうち前方寄りの部分に設けられたロッド挟持部が前記ロッドを上下から挟持しているとともに、前記後板の上端部に取り付けられた支持部材によって前記下面が下方から支持されていることにより、前記引出しに対し前後方向にスライドすることが可能となっていることを特徴とする引出し付きキャビネット。
【請求項２】
前記後板は、少なくともその左右両端部が鋼板で形成されており、前記後板の上端部で前記鋼板を後方側に折り曲げて形成される上面板部と、前記後板の側面部で前記鋼板を後方側に折り曲げて形成される側面板部と、を有し、
前記支持部材は、前記後板に対する前後方向への移動が規制されるように前記上面板部に嵌合した状態で取付けられていることを特徴とする請求項１に記載の引出し付きキャビネット。
【請求項３】
前記支持部材は、前記後板に対する左右方向への移動が規制されるように取付けられていることを特徴とする請求項２に記載の引出し付きキャビネット。
【請求項４】
前記支持部材は、前記側面板部を左右から挟持する側面挟持部を有し、前記側面挟持部に前記側面板部が挿入されることにより、前記後板に対する左右方向への移動が規制されていることを特徴とする請求項３に記載の引出し付きキャビネット。
【請求項５】
前記支持部材は、前方に向けて突出する突起を有し、前記ロッドの後端面側に形成された穴に前記突起が挿入されていることにより、前記後板に対する左右方向への移動が規制されていることを特徴とする請求項３に記載の引出し付きキャビネット。
【請求項６】
前記ロッドは、前後方向に垂直な断面の形状が円形状に形成され、
前記ロッド挟持部は、前記ロッドの上面、下面、及び左右いずれか一方の側面に当接するよう、前後方向に垂直な断面の形状がＣ字形状とされていることを特徴とする請求項１に記載の引出し付きキャビネット。
【請求項７】
前板と、前記前板の後方に設けられその上端部が前記前板の上端部よりも下方に位置する後板と、前記前板の下部と後板の下部との間に設けられた底板と、前記底板の左右両側部で前記前板と後板の間に設けられた一対の側板と、前記一対の側板の上方で前記前板と前記後板の間に設けられ前後方向に略水平に伸びる一対のロッドと、を有する引出しの上方に取り付けられる引出し用トレーユニットであって、
前記引出しの上方に配置されるトレーと、
前記後板の上端部に取り付けられる支持部材と、からなり、
前記トレーは、その下面のうち前記前方寄りの部分に設けられたロッド挟持部が、前記ロッドを上下から挟持するとともに、前記後板の上端部に取り付けられた前記支持部材によって前記下面が下方から支持され、前記引出しに対し前後方向にスライドすることが可能な状態となることを特徴とする引出し用トレーユニット。
【発明の詳細な説明】
【技術分野】
【０００１】
本発明は、キャビネット本体に対し前後方向にスライドする引出しを備えた引出し付きキャビネット、及び、既製の引出しに対し、前後方向にスライド可能なトレーを取り付けることのできる引出し用トレーユニットに関する。
【背景技術】
【０００２】
システムキッチン、洗面化粧台等に広く用いられている引出し付きキャビネットでは、スライド動作によって取り出し可能な収納物を増やすために、収納物を取り出そうとする使用者が最初にスライドさせる引出しとは別に、トレーを設けたものが知られている。
【０００３】
下記特許文献１には、キャビネット本体に設けられるレール（以下、「引出し用レール」と称する）に沿って引出しがスライドし、その引出しの上方にトレーが設けられる引出しキャビネットが開示されている。この引出しの後板には回転自在なスライド用ローラーが取り付けられ、トレーはこのスライド用ローラーによってその下面を下方から支持される。これにより、使用者が引出しを前後方向にスライドさせる動作に伴って、又はトレー単独で、トレーを引出しと同一方向（前後方向）にスライド可能とすることが開示されている。
【０００４】
また、下記特許文献２には、互いに連動してスライドする引出し（下段引出し）とトレー（上段引出し）とが設けられた引出し装置が開示されている。詳細には、左右一対のレールが引出しの上部に設けられおり、トレーはその一対のレールの間に配置されている。トレーは、その左右両側面においてレールに支持されており、前後方向にスライドすることが可能となっている。
【先行技術文献】
【特許文献】
【０００５】
【特許文献１】特開２００１−２７５７６８号公報
【特許文献２】特開２００２−２３８６８３号公報
【発明の概要】
【発明が解決しようとする課題】
【０００６】
しかしながら、上記特許文献１に記載されているような構成の引出し付きキャビネットにおいては、トレーがスライドすると、それに伴ってトレー下面のうちスライド用ローラーにより支持される点の位置が変化する。このため、トレーが引出しに対して後方に大きくスライドし、トレーの下面のうち後方の部分が、スライド用ローラーによって支持されない配置となった場合に、自重及び収納している収納物の重みによりバランスが崩れ、トレーが後方に転倒するおそれがあった。
【０００７】
上記特許文献１には、この他にも、トレーのスライドを円滑かつ安定的なものとするために、引出し用レールとは別個のレール（以下、「トレー用レール」と称する）をキャビネット本体に付設し、トレーをそのトレー用レールに沿わせてスライドさせる構成が開示されている。これにより、トレーはトレー用レールによって前後方向の広範囲で支持されるため、後方へのトレーの転倒防止を図ることができる。しかしながら、トレー用レールの付設は製造コストが上昇するという問題があるのは当然のこと、スライド動作に要する操作力にも悪影響を与えるおそれがあった。すなわち、使用者が引出しとトレーを連動させてスライドさせる際の摩擦力が増加し、引出しに加えなければならない操作力が大きくなってしまうおそれがあった。
【０００８】
また、上記特許文献２に記載された引出し付きキャビネットのように、左右一対のレールの間にトレーを配置するような構成とした場合には、トレーはその幅方向寸法が圧迫されるために小型化せざるを得ず、収納容量が小さくなってしまうというおそれがあった。
【０００９】
本発明はこのような課題に鑑みてなされたものであり、その目的は、低コストで、小さな操作力でトレーを安定的にスライドさせることができる引出し付きキャビネット、及び、そのようなトレーを既存の引出しに対し取り付けることができる引出し用トレーユニットを提供することにある。
【課題を解決するための手段】
【００１０】
上記課題を解決するために、本発明に係る引出し付きキャビネットは、内部に収納空間を有するキャビネット本体と、前記キャビネット本体に対し前後方向にスライドすることで前記収納空間に進退可能な引出しと、前記引出しの上方に配置されたトレーと、を備え、前記引出しは、前板と、前記前板の後方に設けられその上端部が前記前板の上端部よりも下方に位置する後板と、前記前板の下部と後板の下部との間に設けられた底板と、前記底板の左右両側部で前記前板と後板との間に設けられた一対の側板と、前記一対の側板の上方で前記前板と前記後板の間に設けられ前後方向に略水平に伸びる一対のロッドと、を有しており、前記トレーは、その下面のうち前方寄りの部分に設けられたロッド挟持部が前記ロッドを上下から挟持しているとともに、前記後板の上端部に取り付けられた支持部材によって前記下面が下方から支持されていることにより、前記引出しに対し前後方向にスライドすることが可能となっていることを特徴としている。
【００１１】
本発明に係る引出し付きキャビネットは、トレーが引出しに対して後方に大きくスライドし、トレーの下面のうち後方の部分が、支持部材によって支持されない状態となった場合でも、トレーの姿勢はロッドを上下から挟持するロッド挟持部によって保持される。このため、後方への転倒を防止することができる。また、このロッド挟持部はトレーの下面に設けられているため、トレーの幅方向寸法が圧迫されて収納容量を小さくしてしまうこともない。すなわち、トレーの収納容量を維持しながらも、トレーを安定的にスライドさせることを可能とするものである。
【００１２】
さらに、トレーのスライドのために高価なレールを別途付設する必要がない。このような構成とすることで、製造コストの上昇を抑制することができる。また、複数のレールを付設することによる摩擦力の増大を生じさせることもないため、スライド動作の際の操作力増大を抑え、実用上優れた引出し付きキャビネットを提供することができる。
【００１３】
また本発明に係る引出し付きキャビネットでは、前記後板は、少なくともその左右両端部が鋼板で形成されており、前記後板の上端部で前記鋼板を後方側に折り曲げて形成される上面板部と、前記後板の側面部で前記鋼板を後方側に折り曲げて形成される側面板部と、を有し、前記支持部材は、前記後板に対する前後方向への移動が規制されるように前記上面板部に嵌合した状態で取付けられていることも好ましい。
【００１４】
この好ましい態様では、支持部材は上面板部に嵌合した状態で取付けられる構成としたことで、ネジ等の固定部材を別個に用意することなく容易に取り付けることが可能となり、組立時の作業性を向上させることが可能となる。また、この嵌合によって後板に対する支持部材の前後方向への移動が規制されるため、トレーを前後方向にスライド動作させる際に、トレーから受ける摩擦力等によって支持部材が前後方向にずれてしまい、後板の上端部から脱落してしまう事態を防止することが可能となる。
【００１５】
また本発明に係る引出し付きキャビネットでは、前記支持部材は、前記後板に対する左右方向への移動が規制されるように取付けられていることも好ましい。
【００１６】
この好ましい態様では、トレーをスライド動作させる際等において支持部材が左右方向にずれてしまうことを防止し、長期にわたって安定的にトレーを支持することが可能となる。
【００１７】
また本発明に係る引出し付きキャビネットでは、前記支持部材は、前記側面板部を左右から挟持する側面挟持部を有し、前記側面挟持部に前記側面板部が挿入されることにより、前記後板に対する左右方向への移動が規制されていることも好ましい。
【００１８】
この好ましい態様では、引出しを構成する部材である後板を利用して側面板部を形成し、その側面板部を左右から挟持することで、支持部材の左右方向へのずれを防止できるため、製造コストの上昇を抑制しながらも、安定的にトレーを支持することが可能となる。
【００１９】
また本発明に係る引出し付きキャビネットでは、前記支持部材は、前方に向けて突出する突起を有し、前記ロッドの後端面側に形成された穴に前記突起が挿入されていることにより、前記後板に対する左右方向への移動が規制されていることも好ましい。
【００２０】
この好ましい態様では、引出しを構成する部材を利用して穴を形成し、支持部材の突起の移動がその穴の中で規制されることで、支持部材の左右方向へのずれを防止できるため、製造コストの上昇を抑制しながらも、安定的にトレーを支持することが可能となる。
【００２１】
また本発明に係る引出し付きキャビネットでは、前記ロッドは、前後方向に垂直な断面の形状が円形状に形成され、前記ロッド挟持部は、前記ロッドの上面、下面、及び左右いずれか一方の側面に当接するよう、前後方向に垂直な断面の形状がＣ字形状とされていることも好ましい。
【００２２】
この好ましい態様では、組立の際に、ロッド挟持部のうち、断面形状がＣ字形状となっている部位の開放部分からロッドを嵌入させるだけで、ロッド挟持部にロッドを挟持させることが可能となる。また、ロッドの断面形状は円形状であることから、ロッド挟持部は上面から側面を介して下面までわたる広範囲でロッドの外側面と当接することによってがたつきを抑制し、トレーのスライドをスムーズ且つ安定的に行うことができる。
【００２３】
上記課題を解決するために、本発明に係る引出し用トレーユニットは、前板と、前記前板の後方に設けられその上端部が前記前板の上端部よりも下方に位置する後板と、前記前板の下部と後板の下部との間に設けられた底板と、前記底板の左右両側部で前記前板と後板の間に設けられた一対の側板と、前記一対の側板の上方で前記前板と前記後板の間に設けられ前後方向に略水平に伸びる一対のロッドと、を有する引出しの上方に取り付けられる引出し用トレーユニットであって、前記引出しの上方に配置されるトレーと、前記後板の上端部に取り付けられる支持部材と、からなり、前記トレーは、その下面のうち前記前方寄りの部分に設けられたロッド挟持部が、前記ロッドを上下から挟持するとともに、前記後板の上端部に取り付けられた前記支持部材によって前記下面が下方から支持され、前記引出しに対し前後方向にスライドすることが可能な状態となることを特徴としている。
【００２４】
本発明に係る引出し用トレーユニットは、トレーを有さない既製の引出しに対して後付けで取り付けられるものである。引出し用トレーユニットを取り付けることにより、スライド可能なトレー付きの引出しとすることができる。
また、トレーが引出しに対して後方に大きくスライドし、トレーの下面のうち後方の部分が、支持部材によって支持されない状態となった場合でも、トレーの姿勢はロッドを上下から挟持するロッド挟持部によって保持される。このため、後方への転倒を防止することができる。また、このロッド挟持部はトレーの下面に設けられているため、トレーの幅方向寸法が圧迫されて収納容量を小さくしてしまうこともない。すなわち、トレーの収納容量を維持しながらも、トレーを安定的にスライドさせることを可能とするものである。
さらに、トレーのスライドのために高価なレールを別途付設する必要がない。このような構成とすることで、製造コストの上昇を抑制することができる。また、複数のレールを付設することによる摩擦力の増大を生じさせることもないため、スライド動作の際の操作力増大を防止することも可能となる。
【発明の効果】
【００２５】
本発明によれば、低コストで、小さな操作力でトレーを安定的にスライドさせることができる引出し付きキャビネット、及び、そのようなトレーを既存の引出しに対し取り付けることができる引出し用トレーユニットを提供することができる。
【図面の簡単な説明】
【００２６】
【図１】本発明の第１実施形態に係る引出し付きキャビネットの斜視図である。
【図２】本発明の第１実施形態に係る引出し付きキャビネットの引出し及びトレーの分解斜視図である。
【図３】本発明の第１実施形態に係る引出し付きキャビネットの支持部材周辺の斜視図である。
【図４】本発明の第１実施形態に係る引出し付きキャビネットの左側部の斜視図である。
【図５】本発明の第１実施形態に係る引出し付きキャビネットの左側部の正面図である。
【図６】本発明の第１実施形態に係る引出し付きキャビネットの斜視図である。
【図７】本発明の第２実施形態に係る引出し付きキャビネットの支持部材周辺の分解斜視図である。
【図８】本発明の第２実施形態に係る引出し付きキャビネットの左側部の正面図である。
【発明を実施するための形態】
【００２７】
以下、添付図面を参照しながら本発明の実施の形態について説明する。理解を容易にするため、各図面において同一の構成要素に対しては可能な限り同一の符号を付し、重複する説明は省略する。
【００２８】
まず、図１及び図２を参照して、本発明の第１実施形態に係る引出し付きキャビネットの概略を説明する。図１は、本発明の第１実施形態に係る引出し付きキャビネットの斜視図であり、図２は、本発明の第１実施形態に係る引出し付きキャビネットの引出し及びトレーの分解斜視図である。
【００２９】
図１に示すように、引出し付きキャビネット１は、キャビネット本体１０と、このキャビネット本体１０の下部に取り付けられる下引出し２０と、上部に取り付けられる上引出し３０（以下、単に「引出し３０」という）と、この引出し３０に取り付けられるトレー４０とを備えている。
【００３０】
キャビネット本体１０は、樹脂板や鋼板等で箱状に形成されている。その内部空間は収納空間１１となっており、その前面側において開放されている（図１では、キャビネット本体１０の右側面を透視して内部を表している）。キャビネット本体１０の左右側面を構成するキャビネット側板１２、１２の内面には、前後方向に伸びる左右一対の引出し用レール１３、１３が固定されている。
【００３１】
引出し３０は、前板３１と、上端部が前板３１の上端部よりも下方に位置する後板３２と、前板３１の下部と後板３２の下部との間に設けられた底板３４と、底板３４の左右両側部で前板３１と後板３２との間に設けられた左右一対の側板３３、３３とを備えている。側板３３、３３は、その上端部が後板３２の上端部よりも下方に位置している。側板３３、３３の上方には、断面形状が円形状の左右一対のロッド３５、３５が前板３１と後板３２の間で略水平に設けられている。側板３３、３３の外側における側面には前後方向に伸びるレール溝３３ａ、３３ａが形成されており、このレール溝３３ａ、３３ａにキャビネット本体１０の引出し用レール１３、１３が挿入されて係合する。これにより、引出し付きキャビネット１の使用者は、前板３１の前面に固定されている取っ手３１ａを掴み、引出し３０をキャビネット本体１０に対し図１に矢印ＦＢで示す前後方向にスライドさせ、引出し３０を収納空間１１に進退させることができる。
【００３２】
トレー４０は、上面が開放された収納空間を有するトレー本体４１と、そのトレー本体４１に固定される左右一対のロッド挟持部材４２、４２を備えている。トレー本体４１は、その幅方向寸法が引出し３０の幅方向寸法と略同一とされており、後板３２の上端部よりも上方で、且つ前板３１の上端部よりも下方に配置されている。ロッド挟持部材４２、４２は、トレー本体４１の下面のうち前方寄りの部分に固定され、トレー本体４１は、ロッド挟持部材４２、４２を介して引出し３０のロッド３５、３５に取り付けられる。また、図２に示すように、後板３２の左右両側の上端部には支持部材５０、５０が取り付けられており、支持部材５０、５０が、トレー４０の下面のうちロッド挟持部材４２、４２よりも後方の部分を支持する。
【００３３】
次に、図３を参照して、支持部材５０の後板３２への取り付けについて説明する。図３は、本発明の第１実施形態に係る引出し付きキャビネットの支持部材周辺の斜視図である。
【００３４】
図３（Ａ）は、後板３２の左側上端部の前方側斜視図であり、図３（Ｂ）は、後板３２の左側上端部の後方側斜視図である。以下、トレー４０の左側部の構成について説明するが、トレー４０の右側部についても、同様の構成が左側部と対称に設けられているものとする。
【００３５】
後板３２は、その左右両側部が剛性の高い鋼板で形成されており、その上端部が後方に約９０°折り曲げられて上面板部３２ａが形成されている。また、後板３２の側面部についても、後方に約９０°折り曲げられて側面板部３２ｂが形成されている。このようにして形成される上面板部３２ａと側面板部３２ｂとの近接部分には、それぞれに跨るように、ロッド固定部材６０が取り付けられている。ロッド固定部材６０には筒状の筒状固定部６０ａと、筒状固定部６０ａの前面から前方に向けて突出する円筒状突起６０ｂが形成されており、ロッド３５の後端部がこの円筒状突起６０ｂに挿入されることで、ロッド３５が後板３２に対して固定される。
【００３６】
支持部材５０は、樹脂で形成される基部５１を備えており、その基部５１の上面には、上方に突出するトレー挟持突起５２が形成されている。また、そのトレー挟持突起５２の側方には、ローラー５３がその回転軸を略水平にして、前後方向に回転自在に基部５１に支持されている。さらに、図３（Ａ）に示すように、基部５１の前面には、上下方向に伸びる側部嵌合溝５４が、後方に向けて凹状となるよう形成されている。また、基部５１のうちローラー５３の下方部分には、左右方向に伸びる上部嵌合溝５５が、上方に向けて凹状となるように形成されている。また、側部嵌合溝５４の下端からは、下方に向けて突出する係合爪５６が形成されている。さらに、基部５１の前面のうち側部嵌合溝５４の上部には、やや大きめの凹部である固定部材収容溝５７が形成されている。
【００３７】
このように構成された支持部材５０を、後板３２に対して矢印Ｆで示す向き（前方）に押し込むと、側部嵌合溝５４内に側面板部３２ｂが挿入されて嵌合し、側部嵌合溝５４を形成する部分によって側面板部３２ｂが左右から挟持される。これにより、後板３２に対する支持部材５０の左右方向への移動が規制される。そして、その状態で支持部材５０を下方に押し込むと、上部嵌合溝５５内に上面板部３２ａが挿入されて嵌合し、支持部材５０は左右方向と同様に前後方向への移動も規制され、その脱落防止が図られる。
【００３８】
係合爪５６の下端部には、外側（左側）に向けて突出する突起５６ａが形成されている。また、側面板部３２ｂのうち突起５６ａと対応する部分には、貫通穴である係合穴３２ｃが形成されている。支持部材５０が後板３２に対して取り付けられると、係合爪５６の突起５６ａが側面板部３２ｂの内側から係合穴３２ｃに進入して係合する。このため、支持部材５０が上下方向への移動することが更に規制される。
【００３９】
さらに、支持部材５０は、固定部材収容溝５７内にロッド固定部材６０を収容した状態で後板３２に取り付けられる。このため、支持部材５０を後板３２に対して取り付けた後においては、ロッド固定部材６０が脱落してしまうことが防止される。
【００４０】
次に、図４及び図５を参照して、トレー４０の支持構造について説明する。図４は、本発明の第１実施形態に係る引出し付きキャビネットの左側部の正面図であり、図５は、本発明の第１実施形態に係る引出し付きキャビネットの左側部の斜視図である。
【００４１】
ロッド挟持部材４２は、上方の本体固定部４２ａと、この本体固定部４２ａの下方で、前後方向を中心軸の方向とする筒状に形成された挟持部４２ｂを有する。図４に示すように、トレー本体４１の下面の左右両端部には、前後方向に伸びるトレー溝４１ａが、いずれも上方に向けて凹状に形成されている。また、本体固定部４２ａは、そのトレー溝４１ａの前方寄りの部分に下方から嵌入して固定されている。
【００４２】
ロッド３５は、挟持部４２ｂ内に挿入されることで上下から挟持された状態となる。図４及び図５に示す状態、すなわち、トレー本体４１が引出し３０に対して前方側となる位置にスライドした状態では、ロッド挟持部材４２は挟持部４２ｂの内面のうち上部においてロッド３５の上面と当接している。
【００４３】
図４に示すように、後板３２に固定されている支持部材５０は、そのトレー挟持突起５２がトレー溝４１ａ内に挿入されることで、トレー本体４１が左右方向に移動することを規制している。また、トレー挟持突起５２の側方に配置されたローラー５３がトレー本体４１の下面に当接することで、トレー本体４１を下方から支持しており、上下方向の動きを規制している。
【００４４】
このように、トレー４０は、左右それぞれの部分において、ロッド挟持部材４２と、ローラー５３との当接部とからなる前後２点で支持されている。ロッド挟持部材４２はロッド３５に沿って摺動可能であるともに、支持部材５０のローラー５３が回転しながら支持するため、トレー４０は下方の引出し３０に対して前後方向にスムーズにスライド可能となる。また、このスライドの際、トレー本体４１のトレー溝４１ａが支持部材５０のトレー挟持突起５２によって左右への移動を規制されながら前後にスライドするため、スライド時のトレー４０のがたつきを防止することができる。なお、この支持部材５０のローラー５３は必須のものではなく、トレー４０を円滑にスライドさせることができるものであればよい。例えば、基部５１の上端面に対してトレー本体４１の下面が直接当接して支持するなど、別の構成であってもよい。
【００４５】
次に、図６を参照して、トレー４０の転倒防止について説明する。図６は、本発明の第１実施形態に係る引出し付きキャビネットの斜視図である。
【００４６】
トレー４０が引出し３０に対して後方に大きくスライドし、トレー本体４１の下面のうち後方の部分が、支持部材５０のローラー５３によって支持されない状態となった場合を考える。この場合、トレー本体４１の自重及び収納物の重みにより、トレー本体４１には、矢印Ｍで示すように、ローラー５３で支持されている位置を中心としてトレー本体４１の前側を浮き上がらせるような回転モーメントが生じる。
【００４７】
しかし、この際、トレー本体４１の前方寄りの部分に固定されているロッド挟持部材４２において、筒状の挟持部４２ｂの内面がロッド３５の下面に当接し、上記回転モーメントに抗してこの浮き上がりを抑える下向きの力Ｎを受ける。これにより、トレー４０の姿勢を保持して転倒が防止され、安定的にトレー４０をスライドさせて使用することが可能となる。
【００４８】
また、ロッド挟持部材４２はトレー本体４１の下面に固定されていることから、左右側面で固定した場合に比べて、トレー本体４１の幅方向寸法が圧迫されることがない。すなわち、トレー本体４１の収納容量を十分に確保しながらも、トレー４０の転倒を防止することが可能となる。
【００４９】
さらに、トレー４０をスライドさせるためのレールを、引き出し用レール１３に加えて別途付設する必要がない。このため、製造コストの上昇を抑制することができるとともに、スライド動作の際の操作力増大を防止することも可能となる。
【００５０】
次に、図７及び図８を参照して、本発明の第２実施形態に係る引出し付きキャビネットを説明する。本発明の第２実施形態に係る引出し付きキャビネット１ａは、支持部材及びロッド挟持部材の構成のみ第１実施形態と異なっており、他の構成については共通している。このため、以下の説明においては当該異なる部分についてのみ説明することとし、共通の構成については説明を省略する。
【００５１】
図７は、本発明の第２実施形態に係る引出し付きキャビネットの支持部材周辺の分解斜視図であり、図８は、本発明の第２実施形態に係る引出し付きキャビネットの左側部の正面図である。
【００５２】
図７（Ａ）は、後板３２の左側上端部の前方からの斜視図であり、図７（Ｂ）は、後板３２の左側上端部の後方からの斜視図である。引出し付きキャビネット１ａの支持部材７０は、後板３２と平行に配置される背板７１と、背板７１の上端部から前方に突出する上板７２と、上板７２の前側端部から下方に向けて突出し、ローラー７３をその上部を露出させた状態で収容するローラー収容部７４を有する。ローラー７３は、その回転軸を略水平にして前後方向に回転自在に保持されている。また、背板７１には、前方に突出する円柱状の円柱突起７５と、上方に突出するトレー挟持突起７６と、トレー挟持突起７６に保持されるサイドローラー７７を備えている。サイドローラー７７は、ローラー７３よりも小径であり、その回転軸を鉛直にして前後方向に回転自在に保持されている。
【００５３】
このように構成された支持部材５０の、後板３２への取り付けについて説明する。まず、円柱突起７５の中心軸と筒状固定部６０ａの中心軸とを一致させた状態とし、この状態を維持したまま、ローラー収容部７４が上面板部３２ａと干渉しない高さにくるまで、支持部材７０を円柱突起７５の中心軸Ｌ周りに回転させる（約９０°）。そして、矢印Ｆ’で示す向き（前方）に支持部材７０を押し込み、円柱突起７５をロッド固定部材６０の筒状固定部６０ａ（穴）の内部に後方から挿入する。
【００５４】
そして、円柱突起７５が筒状固定部６０ａに挿入された状態で、円柱突起７５の中心軸Ｌ周りに、先ほどとは逆方向に支持部材７０を回転させる（約９０°）。これにより、後板３２の上面板部３２ａが、背板７１とローラー収容部７４の間に進入して挟持されて嵌合状態となり、支持部材７０の後板３２への取り付けが完了する。
【００５５】
このように支持部材７０を後板３２に取り付けることで、円柱突起７５の移動が筒状固定部６０ａ内で規制されるため、支持部材７０の左右方向へのずれを防止できる。また、支持部材７０の背板７１とローラー収容部７４で上面板部３２ａを前後方向に挟持することから、後板３２に対する支持部材７０の前後方向への移動も規制されるため、トレー４０を前後方向にスライド動作させる際に、トレー４０から受ける摩擦力等によって支持部材７０が後板３２の上端部から脱落してしまう事態を防止することが可能となる。
【００５６】
支持部材７０を後板３２に取り付けて、トレー本体４１を支持部材７０の上部に取り付けた状態においては、支持部材７０は、トレー本体４１の下面を、ローラー７３によって支持する。また、トレー挟持突起７６とサイドローラー７７は、トレー本体４１の下面側に形成されたトレー溝４１ａ（図４参照）内に挿入された状態となり、トレー溝４１ａの内側面にサイドローラー７７が当接する。サイドローラー７７によって、トレー本体４１が左右方向に移動することが規制される。このサイドローラー７７は回転自在であるから、スライド時のトレー４０のガタつきを防止しながらも、トレー４０の円滑なスライドを妨げることがない。
【００５７】
引出し付きキャビネット１ａのロッド挟持部材８０は、樹脂で形成され、引出し付きキャビネット１のロッド挟持部材４２と同様に、トレー本体４１の下面のうち前方寄りの部分に固定されている。図８に示すように、ロッド挟持部材８０は、前後方向に垂直な断面の形状がＣ字形状に形成されている挟持部８０ａを有しており、挟持部８０ａによってロッド３５を上下から挟持している。これにより、組立の際は、挟持部８０ａの側面の開放部分からロッド３５を嵌入させることで、容易にロッド３５を挟持させることができる。
【００５８】
また、ロッド３５の断面形状は円形状であることから、断面形状がＣ字形状の挟持部８０ａは、ロッド３５の外側面に沿って、上面から側面を介して下面までわたる広範囲で当接してガタつきを抑制し、トレー４０のスライドをスムーズ且つ安定的に行うことができる。
【００５９】
以上、引出し３０にトレー４０及び支持部材５０（７０）が取り付けられた引出し付きキャビネットの具体例を参照しつつ、本発明の実施の形態について説明した。しかしながら、本発明の範囲はこれに限られず、トレー４０及び支持部材５０（７０）を組み合わせて提供し、トレー４０を備えていない既製の引出しに取り付けるよう構成した引出し用トレーユニットをも含むものである。本引出し用トレーユニットでも、使用者に同様の利便性を提供することができる。
【００６０】
すなわち、本引出し用トレーユニットによっても、トレーの姿勢はロッドを上下から挟持するロッド挟持部によって保持され、後方への転倒を防止することができる。また、トレーの収納容量を維持しながらも、トレーを安定的にスライドさせることを可能とするものである。
【００６１】
さらに、トレーのスライドのために高価なレールを別途付設する必要がない。このような構成とすることで、製造コストの上昇を抑制することができる。また、複数のレールを付設することによる摩擦力の増大を生じさせることもないため、スライド動作の際の操作力増大を防止することも可能となる。
【００６２】
また、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１：引出し付きキャビネット
１０：キャビネット本体
１１：収納空間
１３：引出し用レール
３０：引出し
３１：前板
３２：後板
３２ａ：上面板部
３２ｂ：側面板部
３３：側板
３４：底板
３５：ロッド
４０：トレー
４２、８０：ロッド挟持部材
４２ｂ、８０ａ：挟持部
５０、７０：支持部材
５２：トレー挟持突起
５４：側部嵌合溝
６０ａ：筒状固定部
７５：円柱突起
【図１】
2014155608.tif 000003
【図２】
2014155608.tif 000004
【図３】
2014155608.tif 000005
【図４】
2014155608.tif 000006
【図５】
2014155608.tif 000007
【図６】
2014155608.tif 000008
【図７】
2014155608.tif 000009
【図８】
2014155608.tif 000010